(57)【要約】本出願は、自動遮光溶接ヘルメットの、バッテリーホルダが形成されたハウジングとバッテリー装置とを含む電動濾過式呼吸用保護具に用いられ、上記バッテリー装置を上記バッテリーホルダに取外し可能に取り付けることができる、ロック可能な嵌込構造であって、上記バッテリー装置および上記バッテリーホルダにそれぞれ形成された少なくとも４対のスライド接合構造と、上記バッテリー装置に設けられたロック構造とを含み、各対の上記スライド接合構造は、互いに対して相対的にスライドさせることによって互いに係合離脱可能であり、上記ロック構造は、ボタンと、該ボタンによって作動させることができる舌状部材とを含み、上記舌状部材は、上記スライド接合構造のスライド方向に略垂直な方向に沿って移動可能であり、上記スライド接合構造を互いに対して相対的に所定の位置に移動させた後、上記舌状部材が、上記バッテリーホルダの停止側面に当接して上記対のスライド接合構造をロックする、ロック可能な嵌込構造を開示する。本出願は、上記ロック可能な嵌込構造を備える、自動遮光溶接ヘルメットのための電動濾過式呼吸用保護具も開示する。【選択図】図３
2018512894.tif 000002
【特許請求の範囲】
【請求項１】
自動遮光溶接ヘルメットの、バッテリーホルダが形成されたハウジングとバッテリー装置とを含む電動濾過式呼吸用保護具に用いられ、前記バッテリー装置を前記バッテリーホルダに取外し可能に取り付けることができる、ロック可能な嵌込構造であって、
前記バッテリー装置および前記バッテリーホルダにそれぞれ形成された少なくとも４対のスライド接合構造と、前記バッテリー装置に設けられたロック構造とを含み、
各対の前記スライド接合構造は、互いに対して相対的にスライドさせることによって互いに係合離脱可能であり、
前記ロック構造は、ボタンと、該ボタンによって作動させることができる舌状部材とを含み、
前記舌状部材は、前記スライド接合構造のスライド方向に略垂直な方向に沿って移動可能であり、
前記対のスライド接合構造を互いに対して相対的に所定の位置に移動させた後、前記舌状部材が、前記バッテリーホルダの停止側面に当接して前記対のスライド接合構造をロックする、ロック可能な嵌込構造。
【請求項２】
前記バッテリー装置が、前記スライド接合構造と前記ロック構造とが設けられたケーシングを含む、請求項１に記載のロック可能な嵌込構造。
【請求項３】
前記バッテリー装置ケーシングと前記電動濾過式呼吸用保護具ハウジングとの間に少なくとも１つのスライド案内構造が設けられ、前記スライド案内構造の案内方向は前記スライド接合構造のスライド方向と略平行である、請求項２に記載のロック可能な嵌込構造。
【請求項４】
前記スライド案内構造が、前記バッテリー装置ケーシングに設けられた直線溝と、前記電動濾過式呼吸用保護具ハウジングに設けられた直線リブとを含み、前記直線リブが、前記直線溝に移動可能に収容される、請求項３に記載のロック可能な嵌込構造。
【請求項５】
前記スライド接合構造が７対を含み、そのうちの少なくとも１対が、前記バッテリー装置ケーシングに設けられた溝と、前記電動濾過式呼吸用保護具ハウジングに設けられ、前記溝に挿入可能な突起とを含む、請求項２に記載のロック可能な嵌込構造。
【請求項６】
少なくとも１対の前記スライド接合構造が、２つのＬ字形突起を含む、請求項１から５のいずれか一項に記載のロック可能な嵌込構造。
【請求項７】
前記ロック構造が、前記バッテリー装置ケーシングに移動可能に取り付けられた力付与部品と、前記舌状部材と前記バッテリー装置ケーシングとの間で作用可能なばねとをさらに含み、
前記力付与部品は、駆動力を前記ボタンと前記舌状部材との間で９０°の角度の離反によって伝達できるように、前記ボタンと前記舌状部材との両方に対して作用可能にされており、
前記ばねは、前記舌状部材に対して付勢力を提供し、該付勢力によって、前記舌状部材は前記バッテリー装置ケーシングから突出することが可能である、請求項１から５のいずれか一項に記載のロック可能な嵌込構造。
【請求項８】
前記力付与部品は、回動可能な回動部品であり、
前記回動部品は、前記ボタンおよび前記舌状部材のそれぞれに当接する、互いに垂直な２つの部分を有する、請求項７に記載のロック可能な嵌込構造。
【請求項９】
前記ロック構造は、２対の前記スライド接合構造の間に位置している、請求項１から５のいずれか一項に記載のロック可能な嵌込構造。
【請求項１０】
前記ボタンを、前記スライド接合構造のスライド方向と略平行な方向に沿って作動させることができる、請求項１から５のいずれか一項に記載のロック可能な嵌込構造。
【請求項１１】
使用者が前記電動濾過式呼吸用保護具を着用した後は、前記ボタンの作動方向が、前記使用者の身体方向に略垂直である、請求項１０に記載のロック可能な嵌込構造。
【請求項１２】
前記停止側面は、前記スライド接合構造のスライド方向に略垂直である、請求項１から５のいずれか一項に記載のロック可能な嵌込構造。
【請求項１３】
請求項１から１２のいずれか一項に記載のロック可能な嵌込構造を備える、自動遮光溶接ヘルメットのための電動濾過式呼吸用保護具。
【発明の詳細な説明】
【技術分野】
【０００１】
本出願は、概して、溶接ヘルメット、特に自動遮光溶接ヘルメットの電動濾過式呼吸用保護具のバッテリーのためのロック可能な嵌込構造に関する。
【背景技術】
【０００２】
安全のために、溶接ヘルメット、特に自動遮光溶接ヘルメットが溶接現場において広く使われている。自動遮光溶接ヘルメットは一般的に自動遮光フィルタを装備している。自動遮光フィルタは、主に液晶パネルを備えていることによって機能し得る。液晶パネルは、溶接アークの非起動時は透明である。液晶パネルは、溶接アーク起動開始直前に、作業者の眼が保護されるように不透明な状態に切り替えられる。自動遮光溶接ヘルメットは、通常、調節可能なつまみまたはボタンを備えている。作業者は、溶接ヘルメットを着用する前に、感度（SENSITIVITY）、遅延時間（DELAY TIME）、遮光度（SHADE）、および溶接モード（WELD MODE）などのような自動遮光フィルタの動作パラメータをつまみまたはボタンによって設定しなければならない。その後、作業者は、溶接ヘルメットを着用し、溶接作業を行うことができる。
【０００３】
着用者の顔が溶接ヘルメットによって完全に隠されているときに着用者が普通に呼吸できることを確実にし、かつ／または、溶接作業を行っている着用者を厳しい作業環境下、例えば粉塵の多い環境下で保護できることを確実にするために、溶接ヘルメット、特に自動遮光溶接ヘルメットは、通常、電動濾過式呼吸用保護具を備える。この電動濾過式呼吸用保護具は、ホースによって溶接ヘルメットに接続される。着用者がきれいな空気を吸えるように、周囲空気が、呼吸用保護具によって浄化され、呼吸用保護具の空気ポンプによってヘルメットの中へ送られる。
【０００４】
電動濾過式呼吸用保護具の空気ポンプは、充電式バッテリーを動力源とする。充電式バッテリーは、電動濾過式呼吸用保護具のバッテリーホルダに着脱自在に取り付けられる。従来、充電式バッテリーのバッテリーホルダへの連結箇所が少なく、そのことにより、溶接作業中にバッテリーが不意にホルダから離脱する恐れがある。不運にもこのような事例が起こると、着用者は、呼吸ができなくなるか、自身に害を与える有害な空気を吸い込んでしまう。さらに、電動濾過式呼吸用保護具は、通常、着用者の腰に装着される。動作要件により、着用者が呼吸用保護具を着用中に充電式バッテリーを取り外して新しいものに取り替えることが必要になる場合もある。したがって、充電式バッテリーを溶接現場で容易に取外し・再取付けできるように設計することができれば、着用者の作業効率が大幅に高められることになる。
【発明の概要】
【発明が解決しようとする課題】
【０００５】
上記の問題に関して、本出願は、自動遮光溶接ヘルメットの電動濾過式呼吸用保護具の充電式バッテリーとバッテリーホルダとの間で用いられる改良されたロック可能な嵌込構造を提案し、それにより、充電式バッテリーをより確実にロックすることができるようにし、かつ、使用者が充電式バッテリーを組み付けたり分離するのに便利であるようにする。
【課題を解決するための手段】
【０００６】
本出願の一態様によると、自動遮光溶接ヘルメットの電動濾過式呼吸用保護具に用いられる、ロック可能な嵌込構造が提供される。上記電動濾過式呼吸用保護具はハウジングとバッテリー装置とを含み、上記ハウジングにバッテリーホルダが形成され、上記バッテリー装置を上記バッテリーホルダに、上記ロック可能な嵌込構造によって取外し可能に取り付けることができる。上記ロック可能な嵌込構造は、上記バッテリー装置および上記バッテリーホルダにそれぞれ形成された少なくとも４対のスライド接合構造と、上記バッテリー装置に設けられたロック構造とを含む。各対の上記スライド接合構造は、互いに対して相対的にスライドさせることによって互いに係合及び離脱が可能である。上記ロック構造は、ボタンと、該ボタンによって作動させることができる舌状部材とを含む。上記舌状部材は、上記スライド接合構造のスライド方向に略垂直な方向に沿って移動可能である。上記スライド接合構造を互いに対して相対的に所定の位置に移動させた後、上記舌状部材が、上記バッテリーホルダの停止側面に当接して上記対のスライド接合構造をロックする。
【０００７】
上記バッテリー装置が、上記スライド接合構造と上記ロック構造とが設けられたケーシングを含んでいてもよい。
【０００８】
上記バッテリー装置ケーシングと上記電動濾過式呼吸用保護具ハウジングとの間に少なくとも１つのスライド案内構造が設けられ、上記スライド案内構造の案内方向は上記スライド接合構造のスライド方向と略平行であってもよい。
【０００９】
上記スライド案内構造が、上記バッテリー装置ケーシングに設けられた直線溝と、上記電動濾過式呼吸用保護具ハウジングに設けられた直線リブとを含み、上記直線リブが、上記直線溝に移動可能に収容されてもよい。
【００１０】
上記スライド接合構造を７対含み、そのうちの少なくとも１対が、上記バッテリー装置ケーシングに設けられた溝と、上記電動濾過式呼吸用保護具ハウジングに設けられ、上記溝に挿入可能な突起とを含んでいてもよい。
【００１１】
少なくとも１対の上記スライド接合構造が、２つのＬ字形突起を含んでいてもよい。
【００１２】
上記ロック構造が、上記バッテリー装置ケーシングに移動可能に取り付けられた力付与部品と、上記舌状部材と上記バッテリー装置ケーシングとの間で作用可能なばねとをさらに含み、上記力付与部品は、駆動力を上記ボタンと上記舌状部材との間で９０°の角度の離反によって伝達できるように、上記ボタンと上記舌状部材との両方に対して作用可能にされており、上記ばねは、上記舌状部材に対して付勢力を提供し、該付勢力によって、上記舌状部材は上記バッテリー装置ケーシングから突出することが可能であってもよい。
【００１３】
上記力付与部品は、回動可能な回動部品であり、上記回動部品は互いに垂直な２つの部分を有し、上記２つの部分は、上記ボタンおよび上記舌状部材のそれぞれに当接してもよい。
【００１４】
上記ロック構造は、２対の上記スライド接合構造の間に位置していてもよい。
【００１５】
上記ボタンを、上記スライド接合構造のスライド方向と略平行な方向に沿って作動させることができてもよい。
【００１６】
使用者が上記電動濾過式呼吸用保護具を着用した後は、上記ボタンの作動方向が、上記使用者の身体方向に略垂直であってもよい。
【００１７】
上記停止側面は、上記スライド接合構造のスライド方向に略垂直であってもよい。
【００１８】
本出願の別の態様によると、上記のロック可能な嵌込構造を備える、自動遮光溶接ヘルメットのための電動濾過式呼吸用保護具が提供される。
【００１９】
本出願の技術的手段によって、バッテリー装置をバッテリーホルダによりしっかりとロックして不意の離脱を回避することができる。また、電動濾過式呼吸用保護具を着用中の使用者が手動でバッテリー装置を分離するときに、当該使用者が分離の過程を見るのに便利であり、そのため、現場の使用者の作業効率を現場で高めることができる。
【図面の簡単な説明】
【００２０】
本出願の上記およびその他の特徴は、以下の説明および図面によって、よく理解されるであろう。尚、図面は異なる比率で示されていることもあるが、それらは本出願の理解に影響するものではない。図面において、
【図１】図１ａおよび図１ｂはそれぞれ、本出願の一実施形態にかかる電動濾過式呼吸用保護具を概略的に示す斜視図および側面図である。
【図２】図２は、電動濾過式呼吸用保護具のバッテリー装置がバッテリーホルダから分離されたことを概略的に示す斜視分解図である。
【図３】図３は、本出願にかかるバッテリー装置とバッテリーホルダとの間のロック可能な嵌込構造を概略的に示す図である。
【図４ａ】図４ａは、バッテリー装置とバッテリーホルダとの間のロック可能な嵌込構造の一部を概略的に示す図であり、各円はそれぞれ拡大斜視図および断面図を表す。
【図４ｂ】図４ｂは、バッテリー装置をスライドさせてバッテリーホルダに嵌め込む方法を概略的に示す断面図である。
【図５】図５は、バッテリー装置を概略的に示す分解図である。
【図６】図６ａ、図６ｂ、図６ｃ、および図６ｄは、バッテリー装置をバッテリーホルダに対して相対移動させてロック状態からロック解除状態にする方法をそれぞれ示す、図１ｂのＢ−Ｂ矢視の拡大詳細図である。
【発明を実施するための形態】
【００２１】
本出願の図面において、同じ構成または同様の機能を有する特徴については、同じ参照符号で表す。
【００２２】
図１ａおよび図１ｂは、本出願の一実施形態にかかる電動濾過式呼吸用保護具を示す。この電動濾過式呼吸用保護具は、ハウジング１０とバッテリー装置とを含む。バッテリー装置は、ハウジング１０に取外し可能に連結して用いられるケーシング２０を含む。電動ポンプや空気清浄装置や関連制御回路などのような構成要素（図示せず）が、ハウジング１０の内部に取り付けられる。バッテリーモジュール（図示せず）が、ケーシング２０の内部に取り付けられ、電動ポンプ用の電力を供給するために用いられる。
【００２３】
ハウジング１０の一端側に接続口１１が形成され、ハウジング１０内の空気清浄装置と連通するために用いられる。この接続口１１は、清浄空気を電動ポンプの作用下でヘルメットに供給できるように、接続ホース（図示せず）によって溶接ヘルメット、特に自動遮光溶接ヘルメットに接続可能である。ハウジング１０およびケーシング２０はどちらもプラスチックからなる。
【００２４】
ハウジング１０の反対端側にはバッテリーホルダが形成され、バッテリー装置ケーシング２０を受け入れるために用いられる。本出願によると、バッテリーホルダとバッテリー装置ケーシング２０との間にロック可能な嵌込構造が設けられ、このロック可能な嵌込構造によって、バッテリー装置を電動空気清浄装置のハウジング１０に容易にしっかりと組み付けることができる。さらに、溶接ヘルメットを頭部に着用している着用者がバッテリー装置を分離するのに便利である。
【００２５】
図２は、バッテリー装置がバッテリーホルダから離されたことを概略的に示す。図３は、バッテリー装置とバッテリーホルダとの間のロック可能な嵌込構造の係合箇所を概略的に示す。また、図３は、バッテリー装置ケーシング２０のバッテリーホルダに嵌め込み可能な側も示す。
【００２６】
具体的には、図３に示すように、電動濾過式呼吸用保護具のバッテリー装置ケーシング２０とハウジング１０、特にバッテリーホルダとの間のロック可能な嵌込構造は、それらの間の掛止を達成することができるように、本図において７つの両矢印で示すように、７つの係合箇所を備える。
【００２７】
ハウジング１０において、１対の突起３１および３２が互いに反対方向を向くように形成される。上記１対の突起は、バッテリー装置ケーシング２０に形成された受け口５０に差し込むことができる。互いに対向する１対の突起４１および４２が、受け口５０の２つの対向する側壁に形成される。受け口５０は、ケーシング２０をハウジング１０に嵌め込むことが必要な場合に、まず、上記１対の突起３１および３２２を、上記１対の突起４１および４２からわずかにずれた位置で受け口５０に収容させ、その後、受け口５０の突起４１および４２を突起３１および３２の方へスライドさせることができるように、設計されている。したがって、所定の位置にスライドさせた後、突起４１および４２は、ケーシング２０がハウジング１０に対して相対的に外側へさらに移動することを防止するために、突起３１および３２に当接可能である。
【００２８】
図４ａに示すように、特に、図４ａの２つの上側の円部分によって示すように、１対の突起３３および３４と１対の突起３５および３６とが、上記１対の突起３１および３２の左右両側にそれぞれ形成される。また、２つの下側の円部分（これらは、ケーシング２０のＣ−Ｃ矢視およびＣ’−Ｃ’矢視の部分断面図である）に示すように、１対の突起４３および４４と１対の突起４５および４６とが、バッテリー装置ケーシング２０において上記突起３３〜３６に対応する位置に形成される。断面方向から見ると、上記各突起３３、３４、３５、３６および４３、４４、４５、４６は、略Ｌ字形である。さらに、ケーシングまたはハウジングにおける各Ｌ字形突起は、同じ方向に曲げられている。
【００２９】
バッテリー装置ケーシング２０のハウジング１０への嵌め込み方法を説明するために、さらに図４ｂに示すように、上記１対のＬ字形突起３３および３４と、それらと嵌合させるために用いられる上記１対のＬ字形突起４３および４４とを例にとる。図４ｂは、図１ａのＡ−Ａ矢視の部分拡大断面図である。突起３３、３４、４３、および４４のそれぞれは、収容ポケットを画定する。各収容ポケットは開口を有する。開口は、１つの突起を別の対応する突起の収容ポケットに、これら２つの突起が互いに接近・離間する方向に沿って収容させることができるような寸法に形成される。例えば、図４ｂに示すように、バッテリー装置ケーシング２０をハウジング１０に嵌め込むことが必要な場合、まず、突起４３および４４がそれぞれ突起３３および３４によって画定された収容ポケットに入る（言い換えれば、突起３３および３４が突起４３および４４によって画定された収容ポケットに入る）ようにケーシング２０をハウジング１０に向かって矢印で示すように移動させ、次いで、Ｌ字形突起３３および３４がそれぞれＬ字形突起４３および４４からずれているようにケーシング２０をハウジング１０に当接させ、その後、ケーシング２０を、ハウジングに対して相対的にスライドさせることができるようにハウジング１０に対して相対的に押し、これにより、突起３３および３４がそれぞれ突起４３および４４のＬ字形のカンチレバーに当接して、ケーシング２０がハウジング１０に対して相対的に外側へさらに移動することを防止する。
【００３０】
ケーシング２０には突起３７が形成され、この突起は、突起３３、３４と突起３５、３６との間に、突起３１、３２と略対向して位置している。バッテリー装置ケーシング２０をハウジング１０上でスライドさせると、突起３７を、ケーシング２０の溝４７（図２には図示せず、図６ｃおよび図６ｄにのみ示す）に収容させることができる。このようにして、ケーシング２０をハウジング１０に対して相対的に一方向に沿って所定の位置にスライドさせると、突起３１と４１、突起３２と４２、突起３３と４３、突起３４と４４、突起３５と４５、突起３６と４６、および突起３７と溝４７が、ハウジング１０とケーシング２０との間で、ロック可能な嵌込構造の上記７つの係合箇所をそれぞれ形成する。このため、これらの係合箇所をスライド接合構造とも呼ぶ。
【００３１】
ケーシング２０をハウジング１０上でスライドさせる際に、確実に、それぞれの突起を互いに位置合わせし、または、突起と溝とを互いに位置合わせすることができるようにするために、２つの直線溝７１および７２が、互いに略平行となるようにケーシング２０に形成され、また、２つの直線リブ６１および６２が、互いに平行となるようにハウジング１０において上記直線溝に対応する２つの位置に形成される。このようにすることで、ケーシング２０をハウジング１０に付けたときに、直線リブ６１および６２がそれぞれ直線溝７１および７２によって正確に収容および案内される。上記直線リブは、スライド案内構造を形成するように上記直線溝と嵌合可能である。
【００３２】
さらに、図３に示すように、端子８１が、ハウジング１０内の電動ポンプと関連制御回路とに接続されるようにハウジング１０に形成され、これに挿抜可能な端子９１が、ケーシング２０内のバッテリーモジュールに接続されるようにケーシング２０に形成される。したがって、ケーシング２０をハウジング１０上で所定の位置にスライドさせると、バッテリーモジュールが電動ポンプおよび関連制御回路に電力を供給できるように端子８１が端子９１に係合する。
【００３３】
図５は、バッテリー装置ケーシング２０をさらに説明する分解斜視図である。図示するように、ケーシング２０は、基部２０１とカバー２０２とを含み、これらの双方は、バッテリーモジュールと関連電気装置とを収容するために双方の間に空洞を画定できるように、スナップ嵌めまたはねじ留めなどの適切な方法で、互いに取外し可能に連結することができる。バッテリー装置ケーシング２０がハウジング１０に嵌め込まれると、カバー２０２は、ハウジング１０に面し、これに当接する。
【００３４】
再び図２および図３に示すように、ハウジング１０の端側に、突出した周縁が形成される。突起３１、３２、３３、３４、３５、３６、および３７の全ては、バッテリー装置ケーシング２０を受け入れ可能なバッテリーホルダを形成するために、上記周縁から径方向内側に向けて一体形成される。さらに、直線リブ６１および６２も、上記周縁によって囲まれた内部領域に形成される。
【００３５】
図５に示すように、カバー２０２の外方に面する側にボスが形成される。突起４１、４２、４３、４４、４５、４６と、受け口５０と、溝４７とは、上記ボスの周囲に形成される。さらに、上記ボスの投影面積は、ケーシング２０がハウジング１０に付けられた後にある程度スライド可能なように、上記バッテリーホルダの周縁によって囲まれた内部領域の投影面積よりも小さい。
【００３６】
受け口５０の底に開口５１が設けられる。基部２０１には凹部が形成され、この凹部にボタン８０が直線的に移動可能に取り付けられる。上記凹部に、舌状部材８５が直線的に移動可能に支持される。舌状部材８５はボタン８０の移動方向に略垂直な方向に移動可能である。上記凹部に回動部品８１が回動可能に取り付けられ、１対のばね８６も上記凹部に設けられる。ばね力が舌状部材８５に常時付与され、それにより当該舌状部材が基部２０１に対して相対的に外側へ移動することを可能にするように、ばね８６の一端が基部２０１に固定的に収容され、他端が舌状部材８５に固定的に収容される。
【００３７】
回動部品８１は、能動面８２および突出部８３と一体形成される。能動面８２は突出部８３に略垂直である。図５に示した実施形態において、能動面８２は２つの能動面を含み、突出部８３は２つの突出部を含む。しかしながら、それらの数は必要に応じて設定することができると考えられる。例えば、能動面または突出部を１つだけ設けることもでき、複数の能動面または複数の突出部を設けることもできる。舌状部材８５には段差面８７が一体形成される。この段差面は、回動部品８１の突出部８３に当接するために用いられ、１つまたは複数の段差面が設けられ得る。段差面の数は、突出部の数に応じて設定することができる。したがって、図５に示す実施形態においては、段差面８７の数も２つである。ボタン８０の一部、例えば隆起部８８（図６ａに示す）が、回動部品８１の能動面８２に当接可能である。したがって、回動部品８１は、ボタン８０および舌状部材８５の両方に当接可能である。ボタン８０を作動させて回動部品８１をその回動軸周りにある角度だけ回動するように駆動することにより、舌状部材８５をある程度移動させることができる。
【００３８】
カバー２０２を基部２０１に組み付けると、舌状部材８５の一端が、開口５１を貫通でき、外側に突出する。図６ａに示すように、ハウジング１０、特にバッテリーホルダに、ボス１０１が形成される。例えば、このボスは、上記２つの突起３１および３２の間に位置している。ボス１０１は、傾斜面１０２と、鉛直な停止側面１０３とを有する。舌状部材８５の突出端には傾斜面８５’が形成される。ケーシング２０を図４ａに示すようにバッテリーホルダに対して相対的にスライドさせる際、最初に、舌状部材８５の傾斜面８５’はボス１０１の傾斜面１０２に当接し、舌状部材８５が押圧され、それによりその先端が開口５１を通ってケーシング２０内に移動する。その後、傾斜面１０２が当該先端を乗り越えると、当該先端は、ばね８６によって付勢されて、開口５１から再び突出する。したがって、舌状部材８５は、図６ａに示すように、ボス１０１の鉛直な停止側面１０３に当接してロック状態となり、ハウジング１０とケーシング２０との間のロック可能な嵌込構造の不意の離脱を回避する。舌状部材８５の移動方向はケーシング２０のスライド方向に略垂直である、言い換えれば、ボタン８０の移動方向はケーシング２０のスライド方向と一致することが分かる。本出願によると、バッテリー装置ケーシング２０をバッテリーホルダに対して相対的にスライドさせる方向に略垂直な方向において舌状部材８５をロックすることができ、これにより、ケーシング２０を所定の位置により確実にロックすることができる。
【００３９】
ボス１０１の傾斜面１０２および舌状部材８５の傾斜面８５’は、ケーシング２０をバッテリーホルダ内へより円滑にスライドさせることができ、かつ、その間に、ばね８６の作用下で、傾斜面１０２が乗り越えた後の傾斜面８５’の迅速な跳ね返りにより「カッパ（kappa）」という音が鳴るように、設計される。このようにすることで、使用者に舌状部材８５が所定の位置にロックされたことを知らせる。
【００４０】
図６ａ〜図６ｄは、バッテリー装置ケーシング２０をハウジング１０から分離する方法を示す。まず、回動部品８１をその回動軸周りに角度αだけ回動させることができるように、指を使ってボタン８０を内側へ押し込む。これにより、舌状部材８５の上記傾斜面を有する端が、開口５１の下へ引っ込む。次いで、ボタン８０を押し込んだ状態で、ケーシング２０を引っ張るかまたは押すことにより、ケーシング２０をバッテリーホルダに対して相対的に外側へスライドさせる。最後に、バッテリー装置ケーシング２０を外す。
【００４１】
図１ａ、図１ｂ、および図２に示すように、ハウジング１０の左右両側にバックルが設けられ、ベルトを締めるために用いられる。使用時に、電動濾過式呼吸用保護具ハウジング１０は、使用者の腹部または腰にベルトで固定される。このようにすることで、使用者が接続口１１およびボタン８０を見て操作するのに便利なように、接続口１１がバッテリー装置の上方になり、ボタン８０が外向きに露出する。使用者がバッテリー装置の取替えまたは点検を行いたいときは、当該使用者は、古いバッテリー装置を取り外して新しいものを再び取り付けることができるように、１本の指でボタン８０を自分の身体に向けて押し込めばよい。この全過程において、使用者は、手動による取外し作業を自分の眼で見て監視しやすくするために、頭をわずかに下げればよい。
【００４２】
当業者には、直線溝７１および７２と直線リブ６１および６２の位置を交換可能であることが理解できる。例えば、代替的な実施形態において、２つの平行な直線リブがケーシング２０に形成され、２つの平行な直線溝がハウジング１０において上記直線リブのそれぞれと対応する位置に形成される。さらに、直線溝および直線リブの数は、例えば１つまたは複数のように、所望の通りに設定することができる。
【００４３】
上記図示した実施形態においては、使用者が電動濾過式呼吸用保護具を着用した後は、ケーシング２０を、地面に略垂直で当該使用者の身体の矢状方向と平行な方向に沿って、ハウジング１０に対して相対的にスライドさせることができる。代案として、突起の向きを変えることによって、ロック可能な嵌込構造を、ケーシングのスライド方向が地面と身体の冠状方向とに略平行となるように設計することも可能である。
【００４４】
上記図示した実施形態においては、バッテリー装置と電動濾過式呼吸用保護具ハウジングのバッテリーホルダとの間のロック可能な嵌込構造が、バッテリーホルダの周囲に配置された７つの係合箇所を有しているが、係合箇所の数または配置方法は必要に応じて変更することができる。例えば、代案として、ロック可能な嵌込構造の係合箇所の数を増減させるために、突起３１、３２、３３、３４、３５、３６および突起４１、４２、４３、４４、４５、４６から１対または複数対の突起を削除することもでき、これらの突起に１対または複数対の突起を追加することもできる。また、代案として、突起３７と溝４７の位置を交換することもできる。例えば、上記突起をケーシング２０に設け、上記溝をハウジング１０に設けることもできる。
【００４５】
上記図示した実施形態においては、ボタン８０と回動部品８６と舌状部材８５とでロック構造を構成している。上記ロック構造のボタンは、バッテリーホルダに対するバッテリー装置の相対的なスライド方向と略平行な方向に沿って作動させることができる。しかしながら、上記ロック構造の舌状部材を、バッテリーホルダに対するバッテリー装置の相対的なスライド方向に略垂直な方向に沿ってロックすることができる。ロック構造は、上記１対の突起３１および４１と上記１対の突起３２および４２との間に位置している。しかしながら、代替の実施形態においては、上記ロック構造を、操作が容易になり得る任意の位置に設けることができる。例えば、上記１対の突起３１および４１と上記１対の突起３３および３４との間に設けることもできる。
【００４６】
さらに、上記図示した実施形態においては、回動部品８１の使用によって、ボタン８０を舌状部材８５の移動方向に略垂直な方向に沿って押し込み、作動させることを可能にしている。しかしながら、当業者には、力の方向を変えるためのその他の部品を本出願において用いることが可能であることが理解できる。例えば、回動部品８１の代わりに、並進運動する楔形ブロックを用いることもできる。この楔形ブロックは、ボタン８０に当接するための鉛直な側面と、舌状部材８５に当接するための傾斜した側面とを有する。上記の楔形ブロックを用いて、ボタン８０からの作動力を、舌状部材８５を駆動して当該作動力に応じて移動させることができるように、舌状部材８５に垂直に付与することができる。
【００４７】
本出願のロック可能な嵌込構造をバッテリー装置とバッテリーホルダとの間で用いて、バッテリー装置を電動濾過式呼吸用保護具ケーシングにしっかりとロックすることができる。さらに、使用者がバッテリー装置を手動で分離するのに便利である。
【００４８】
本明細書において本出願のいくつかの具体的な実施形態を説明したが、それらは例示にすぎず、本出願の範囲をいかなる形であっても限定するものではない。本出願の趣旨および範囲を逸脱しない範囲で、いろいろと交替、変更、交替することができる。
【図１】
2018512894.tif 000003
【図２】
2018512894.tif 000004
【図３】
2018512894.tif 000005
【図４ａ】
2018512894.tif 000006
【図４ｂ】
2018512894.tif 000007
【図５】
2018512894.tif 000008
【図６】
2018512894.tif 000009
【国際調査報告】
2018512894.tif 000010
2018512894.tif 000011
2018512894.tif 000012
2018512894.tif 000013
2018512894.tif 000014
2018512894.tif 000015